(57)【要約】【課題】  トンボの読取エラーを防止してカッティング作業の効率低下を防止すること。【解決手段】  このカッティングシステム１００は、作図したオブジェクトの周囲に枠を作成する枠認識部１１と、枠認識部１１により作成した枠に基づいてトンボの形状等を設定するトンボ設定部１２と、トンボのサイズを自動的に設定する推奨トンボサイズ選択部１３と、枠のサイズと当該枠のサイズに対して推奨されるトンボサイズをテーブルとして保持するトンボサイズテーブル１４とを有する。ユーザがトンボサイズ自動設定ボタン２３を押すと、推奨トンボサイズ選択部１３は、トンボサイズテーブル１４を参照し、推奨されるトンボサイズを当該枠に対するトンボサイズとして設定する。これにより、読取エラーになるようなトンボを作成することがなくなり、読取エラーに起因した作業効率の低下を防止できる。【選択図】図１
2012081535.tif 000002
【特許請求の範囲】
【請求項１】
コンピュータに、
カット対象である絵、文字等のオブジェクトの周囲に作成された枠のサイズ毎に推奨されるトンボサイズを対応付けたトンボサイズテーブル、
作成された枠のサイズに基づき、前記トンボサイズテーブルから推奨されるトンボサイズを選択する推奨トンボサイズ選択手段、
前記推奨トンボサイズ選択手段により選択されたトンボサイズのトンボを前記枠の角に設けるトンボ設定手段、
として機能させることを特徴とするカッティングプログラム。
【請求項２】
コンピュータに、
カット対象である絵、文字等のオブジェクトの周囲に作成された枠のサイズに基づいて、予め設定してある計算式により推奨されるトンボサイズを算出する推奨トンボサイズ計算手段、
前記推奨トンボサイズ計算手段により算出されたトンボサイズのトンボを前記枠の角に設けるトンボ設定手段、
として機能させることを特徴とするカッティングプログラム。
【請求項３】
カット対象である絵、文字等のオブジェクトの周囲に作成された枠のサイズ毎に推奨されるトンボサイズを対応付けたトンボサイズテーブルと、
作成された枠のサイズに基づき、前記トンボサイズテーブルから推奨されるトンボサイズを選択する推奨トンボサイズ選択手段と、
前記推奨トンボサイズ選択手段により選択されたトンボサイズのトンボを前記枠の角に設けるトンボ設定手段と、
を備えたことを特徴とするカッティングシステム。
【請求項４】
カット対象である絵、文字等のオブジェクトの周囲に作成された枠のサイズに基づいて、予め設定してある計算式により推奨されるトンボサイズを算出する推奨トンボサイズ計算手段と、
前記推奨トンボサイズ計算手段により算出されたトンボサイズのトンボを前記枠の角に設けるトンボ設定手段と、
を備えたことを特徴とするカッティングシステム。
【請求項５】
カット対象である絵、文字等のオブジェクトの周囲に作成した枠のサイズに基づいて、予め枠のサイズ毎に推奨されるトンボサイズが配列されたトンボサイズテーブルから当該作成した枠に対して推奨されるトンボサイズを選択するトンボサイズ選択ステップと、
前記選択されたトンボサイズのトンボを前記枠の角に設けるトンボ設定ステップと、
を含むことを特徴とするカッティング方法。
【請求項６】
カット対象である絵、文字等のオブジェクトの周囲に作成された枠のサイズに基づいて予め設定してある計算式により推奨されるトンボサイズを算出するトンボサイズ算出ステップと、
前記算出されたトンボサイズのトンボを前記枠の角に設けるトンボ設定ステップと、
を含むことを特徴とするカッティング方法。
【請求項７】
カット対象である絵、文字等のオブジェクトの周囲に作成された枠のサイズ毎に推奨されるトンボサイズを対応付けたトンボサイズテーブルとしてコンピュータに記憶されていることを特徴とするデータ構造。
【発明の詳細な説明】
【技術分野】
【０００１】
本発明は、トンボの読取エラーを防止して効率的にカッティング作業を行えるカッティングプログラム、カッティングシステム及びカッティング方法に関するものである。
【背景技術】
【０００２】
非特許文献１には、作図プログラムによりコンピュータ上で作成したイラストの周囲にトンボ（非特許文献１では「クロップマーク」という）を作成し、カッティングの位置を補正する技術が開示されている。ユーザは、イラストの外側に前記トンボを付与し、このトンボを付与したイラストをシートに印刷し、カッティングプロッタにセットする。
【０００３】
ユーザは、カッティングプロッタの光学検出手段を基準となるトンボ上に移動させ、所定の手順によりＸＹ方向の走査を行い、トンボの原点を検出する。光学検出手段は、ユーザにより入力されたトンボ間の距離に基づいてＸＹ方向に移動し、シート上のトンボを全て自動検出する。そして、全てのトンボの位置情報に基づいて、セットされたシートの位置を補正する。このようにすれば、カッティングプロッタ側でシート上のイラストの位置を正しく認識できるので、イラストのカットを正確に行える。
【先行技術文献】
【特許文献】
【０００４】
【非特許文献１】「ＣＸ−１２／２４  ユーザーズマニュアル」ローランドディージー株式会社  Ｐ３９−Ｐ４７  ２０１０年
【発明の概要】
【発明が解決しようとする課題】
【０００５】
しかしながら、上記従来の技術では、最初に検出したトンボからＸ方向又はＹ方向に光学検出手段を移動させて次のトンボを検出させる場合、メディアの傾き状態及びトンボの大きさによっては、光学検出手段によりトンボ形状を正確に検出できないことがある。つまり、最初のトンボから次に検出するトンボの方向を判断するにあたってズレが生じ、次に検出するトンボを光学検出手段で読み取れずエラーとなってしまう。このように、カッティングプロッタ側で読取エラーが生じるとシートの位置補正ができず、イラストを正確にカットすることができない。
【０００６】
このとき、ユーザは、再びトンボの読取を試みることになるが、トンボが小さいために何度試行しても読取エラーとなることが殆どである。そして、ユーザは何度か読取エラーが生じた後、改めて印刷を行うことになる。このように、トンボの読取エラーに起因した手間は極めて大きく、カッティング作業の効率を著しく低下させているという問題点があった。特に、上記問題点は、大きなイラストをカットする場合に顕著となる。
【０００７】
ところで、トンボが大きくなると、カッティング成果物として利用できるメディアの面積が減るため、メディアを有効活用する点から可能な限り小さなトンボを使用したいという要求がユーザにはある。
【０００８】
そこで、この発明の目的は、トンボの読取エラーを防止してカッティング作業の効率低下を防止することにある。
【課題を解決するための手段】
【０００９】
本発明のカッティングプログラムは、コンピュータに、カット対象である絵、文字等のオブジェクトの周囲に作成された枠のサイズ毎に推奨されるトンボサイズを対応付けたトンボサイズテーブル、作成された枠のサイズに基づき、前記トンボサイズテーブルから推奨されるトンボサイズを選択する推奨トンボサイズ選択手段、前記推奨トンボサイズ選択手段により選択されたトンボサイズのトンボを前記枠の角に設けるトンボ設定手段、として機能させることを特徴とする。
【００１０】
推奨トンボサイズのトンボを前記枠の角に設けることで、当該サイズのトンボの形状をカッティングプロッタの光学検出手段により正確に検出でき、最初に検出したトンボから次に検出するトンボの方向を正確に判断できるようになる。このため、トンボの読取エラーを防止してカッティング作業を効率的に行える。推奨されるトンボサイズは、トンボの読取エラーを生じさせないために必要なサイズであり、カッティングプロッタの性能やメディアセットの際のオペレータの癖等により定まる。特に、推奨するトンボサイズの下限は、カッティングプロッタの性能に基づいて、カッティング有効面積を可能な限り広げるように設定されるのが好ましい。この場合、可能な限り多くのカッティング成果物をメディア毎にカットすることができるため、カッティング作業を効率的に行える。
【００１１】
また、本発明のカッティングプログラムは、コンピュータに、カット対象である絵、文字等のオブジェクトの周囲に作成された枠のサイズに基づいて、予め設定してある計算式により推奨されるトンボサイズを算出する推奨トンボサイズ計算手段、前記推奨トンボサイズ計算手段により算出されたトンボサイズのトンボを前記枠の角に設けるトンボ設定手段、として機能させることを特徴とする。
【００１２】
前記推奨トンボサイズ計算手段により算出されたトンボサイズのトンボを前記枠の角に設けることで、当該サイズのトンボの形状をカッティングプロッタの光学検出手段により正確に検出でき、最初に検出したトンボから次に検出するトンボの方向を正確に判断できるようになる。このため、トンボの読取エラーを防止してカッティング作業を効率的に行える。なお、推奨されるトンボサイズについては、同上の通りである。
【００１３】
また、本発明のカッティングシステムは、カット対象である絵、文字等のオブジェクトの周囲に作成された枠のサイズ毎に推奨されるトンボサイズを対応付けたトンボサイズテーブルと、作成された枠のサイズに基づき、前記トンボサイズテーブルから推奨されるトンボサイズを選択する推奨トンボサイズ選択手段と、前記推奨トンボサイズ選択手段により選択されたトンボサイズのトンボを前記枠の角に設けるトンボ設定手段と、を備えたことを特徴とする。
【００１４】
また、本発明のカッティングシステムは、カット対象である絵、文字等のオブジェクトの周囲に作成された枠のサイズに基づいて、予め設定してある計算式により推奨されるトンボサイズを算出する推奨トンボサイズ計算手段と、前記推奨トンボサイズ計算手段により算出されたトンボサイズのトンボを前記枠の角に設けるトンボ設定手段と、を備えたことを特徴とする。
【００１５】
上記構成のカッティングシステムによれば、トンボの読取エラーが生じないので、カッティング作業を効率的に行える。
【００１６】
また、本発明のカッティング方法は、カット対象である絵、文字等のオブジェクトの周囲に作成した枠のサイズに基づいて、予め枠のサイズ毎に推奨されるトンボサイズが配列されたトンボサイズテーブルから当該作成した枠に対して推奨されるトンボサイズを選択するトンボサイズ選択ステップと、前記選択されたトンボサイズのトンボを前記枠の角に設けるトンボ設定ステップと、を含むことを特徴とする。
【００１７】
また、本発明のカッティング方法は、カット対象である絵、文字等のオブジェクトの周囲に作成された枠のサイズに基づいて予め設定してある計算式により推奨されるトンボサイズを算出するトンボサイズ算出ステップと、前記算出されたトンボサイズのトンボを前記枠の角に設けるトンボ設定ステップと、を含むことを特徴とする。
【００１８】
上記構成のカッティング方法によれば、トンボの読取エラーが生じないので、カッティング作業を効率的に行える。
【００１９】
また、本発明のデータ構造は、カット対象である絵、文字等のオブジェクトの周囲に作成された枠のサイズ毎に推奨されるトンボサイズを対応付けたトンボサイズテーブルとしてコンピュータに記憶されていることを特徴とする。このデータ構造をコンピュータに保持させておくことにより、トンボサイズが推奨トンボサイズか否かを判定することができるようになり、ユーザに負担を掛けることなく的確に、トンボの読取エラーを生じさせない設定をすることができるようになる。
【図面の簡単な説明】
【００２０】
【図１】この発明の実施の形態１に係るカッティングシステムを示す構成図である。
【図２】図１に示したカッティングシステムの動作を示すフローチャートである。
【図３】オブジェクトの周囲にトンボを作成する手順を示す説明図である。
【図４】コンピュータの表示部に表示される画面例を示す説明図である。
【図５】コンピュータの表示部に表示される画面例を示す説明図である。
【図６】コンピュータの表示部に表示される画面例を示す説明図である。
【図７】枠サイズに対して推奨されるトンボのサイズを配列して記憶したトンボサイズテーブルの一例を示す図表である。
【図８】枠サイズとトンボサイズとの関係を示す説明図である。
【図９】枠サイズに対して推奨されるトンボのサイズを配列して記憶したトンボサイズテーブルの他の例を示す図表である。
【図１０】この発明の実施の形態２に係るカッティングシステムを示す構成図である。
【図１１】図１０に示したカッティングシステムの動作を示すフローチャートである。
【発明を実施するための形態】
【００２１】
（実施の形態１）
図１は、この発明の実施の形態１に係るカッティングシステムを示す構成図である。このカッティングシステムは、作図プログラム及びカッティングデータ等を生成するカッティングプログラムをインストールしたコンピュータ１と、コンピュータ１に接続したカッティングプロッタ２と、コンピュータ１に接続され前記作図プログラムにより作図したオブジェクト等を印刷するプリンタ３とを有する。前記カッティングプログラムは、例えば、前記作図プログラムの拡張機能として実現される。コンピュータ１には液晶ディスプレイ等の表示部４が接続されている。コンピュータ１、カッティングプロッタ２及びプリンタ３はそれぞれ別体でも良いし、いずれか又は全部が一体でも良い。また、前記コンピュータ１は、インターネット空間で構築されるリソース形態を取るものであっても良い。
【００２２】
前記カッティングシステムは、カット対象である絵、文字等のオブジェクトの周囲に作成された枠を認識する枠認識部１１と、トンボのサイズや形状等を設定し、かかるトンボを前記枠の角に設けるトンボ設定部１２と、トンボのサイズを選択する推奨トンボサイズ選択部１３と、枠のサイズと当該枠のサイズに対して推奨されるトンボサイズをテーブルとして保持するトンボサイズテーブル１４とを有する。前記枠は、前記作図プログラムによりユーザが作成する。この枠は、表示部４で表示しても良いし、表示部４に表示することなくデータとしてのみ有するようにしても良い。なお、上記枠の作成は、前記作図プログラムではなく、カッティングプログラムで行うようにしても良い。特に、カッティングプログラムで行う場合、オブジェクト５０を囲む矩形の枠を自動的に生成しても良い。矩形の枠を自動で生成する場合、例えば、バンディングボックスであっても良い。
【００２３】
図２は、図１に示したカッティングシステムの動作を示すフローチャートである。図３は、オブジェクトの周囲にトンボを作成する手順を示す説明図である。図４〜図６は、コンピュータの表示部に表示される画面例を示す説明図である。トンボ作成の前に、図３（ａ）に示すように、作図プログラムによりオブジェクト５０を作成し、更にトンボを作成する位置を特定するため、図３（ｂ）に示すように、作図プログラムによりオブジェクト５０を矩形の枠５１で囲んでおく。
【００２４】
まず、図４に示すように、枠認識部１１は、表示部４に表示されたメニューウインドウ２０のトンボ作成ボタン２１の押下により、前記作成した枠５１を認識する（ステップＳ１）。このとき、表示部４には、トンボ作成ウインドウ２２が表示される。このトンボ作成ウインドウ２２には、トンボサイズを自動設定するか否かをユーザに選択させるラジオボタン２３、トンボ形状設定ボタン２５等が表示される。ここでは、ラジオボタン２３は「自動」が選択されている状態が示され、ユーザによる選択で「手動」に切り替わるようになっている。
【００２５】
トンボ設定部１２では、ラジオボタン２３の選択状態に係わらず、推奨トンボサイズ選択部１３が、トンボサイズテーブル１４を参照し（ステップＳ２）、推奨されるトンボサイズを当該枠に対する推奨トンボサイズとして選択して（ステップＳ３）、ステップＳ４に進む。
【００２６】
図７は、枠サイズに対して推奨されるトンボのサイズを配列して記憶したトンボサイズテーブルの一例を示す図表である。図８は、枠サイズとトンボサイズとの関係を示す説明図であり、（ａ）は枠の外側にトンボ５２を設定した場合、（ｂ）は枠に沿ってトンボ５２を設定した場合を示す。推奨されるトンボサイズは、原則、枠５１の長辺の長さｔ１を基準とする。正方形の場合はいずれの辺でもよい。一方、トンボサイズは、Ｌ字形状の一辺の長さｔ２とする。
【００２７】
トンボサイズテーブル１４には、推奨されるトンボサイズが枠サイズ毎に対応付けられている。図７に示すように、枠サイズとは枠５１の長辺の長さであり、トンボサイズテーブル１４には、当該長さの範囲に対応した推奨されるトンボサイズ（トンボの前記長辺方向の長さ）が記憶されている。例えば、ユーザが作成した枠５１の長辺が３００ｍｍであれば、推奨されるトンボサイズは８ｍｍである。この場合、推奨トンボサイズ選択部１３は、長辺が３００ｍｍの枠に対しては８ｍｍのトンボを設定する。
【００２８】
推奨トンボサイズは、カッティングプロッタ２やその光学検出手段（図示省略）等の性能やメディアセットの際のオペレータの癖等により定まる。特に、推奨するトンボサイズの下限は、カッティングプロッタの性能等に基づいて、カッティング有効面積を可能な限り広げるように設定されるのが好ましい。この場合、可能な限り多くのカッティング成果物をメディア毎にカットすることができるため、カッティング作業を効率的に行える。なお、トンボサイズテーブル１４のトンボサイズは、コンピュータ１上で再設定できる。
【００２９】
また、四角トンボやダブルトンボについても、上記シングルトンボと同様にトンボサイズを枠サイズ毎に対応付けてトンボサイズテーブル１４に記憶できる。図９は、トンボサイズテーブル１４の一例を示す図表であり、（ａ）はシングルトンボ、（ｂ）は四角トンボの例を示す。ユーザが図５に示した画面上のトンボ形状設定ボタン２５でトンボ形状を選択することにより、推奨トンボサイズ選択部１３は、選択されたトンボ形状において推奨されるトンボサイズを、前記トンボサイズテーブル１４を参照して選択する。例えば、トンボ形状設定ボタン２５で四角トンボが選択された場合、（ｂ）に示すトンボサイズテーブル１４を参照して推奨トンボサイズを選択する。多種類のトンボ形状の選択が可能なカッティングシステムでは、ユーザが適切なトンボサイズを設定することが難しいため、かかる自動設定は極めて有用である。
【００３０】
ステップＳ４では、トンボ設定部１２は、図５に示すトンボ作成ウインドウ２２に表示されているラジオボタン２３の選択状態を確認し、「自動」のときはそのままステップＳ８へ進み、「手動」のときはステップＳ５へ進む。
【００３１】
ラジオボタン２３の選択状態が「自動」の場合（ステップＳ４）、トンボ設定部１２は、図５（ａ）に示すトンボ作成ウインドウ２２の画面上の「ＯＫ」ボタンが押下されると（ステップＳ８のＹ）、設定された推奨トンボサイズのトンボを枠の角に作成し（ステップＳ９）、処理を終了する。
【００３２】
一方、ラジオボタン２３の選択状態が「手動」の場合（ステップＳ４）、トンボ設定部１２は、図５（ｂ）に示す手動用のトンボ作成ウインドウ２２を表示する。この手動用のトンボ作成ウインドウ２２中には、ユーザに入力させるトンボサイズのタブ２４、枠認識部１１で設定された枠サイズにおいて推奨される推奨トンボサイズ表示部２６、トンボの線幅設定用のタブ２７が追加して表示される。なお、トンボサイズのタブ２４及びトンボの線幅設定用のタブ２７は、ここではスピンボタンとエディットボックスとから構成されている。また、推奨トンボサイズ表示部２６には、上記ステップＳ３において選択された推奨トンボサイズの値が表示されている。
【００３３】
そして、トンボ設定部１２は、タブ２４に入力されたトンボサイズを取得すると（ステップＳ５）、推奨トンボサイズ表示部２６に表示されている推奨トンボサイズと比較して、タブ２４に入力されたトンボサイズが適正か否かを判定する（ステップＳ６）。その結果、トンボサイズが推奨トンボサイズより小さく、適正でないとき（ステップＳ６のＮ）には、図６（ａ）に示すように、トンボ設定部１２は、警告マーク２８をタブ２４の脇に表示させ（ステップＳ７）、ステップＳ８に進む。
【００３４】
警告マーク２８がクリックされると、図６（ｂ）に示す警告ウインドウ３０を表示する（ステップＳ７）。この警告ウインドウ３０には、トンボサイズが小さすぎて認識できない可能性がある旨が表示される。なお、警告マーク２８が表示されても、ユーザが入力したトンボをそのまま作成できるようにしても良いし、当該警告ウインドウ３０を表示すると共に作成したトンボを自動的にキャンセルするようにしても良い。一方、入力されたトンボサイズが推奨トンボサイズの範囲又はそれ以上である場合、適正であると判断する。
【００３５】
一方、トンボサイズが推奨サイズより大きく、適正なとき（ステップＳ６のＹ）には、そのままステップＳ８に進み、ユーザによる指示待ち状態となる。
【００３６】
なお、図５（ｂ）のトンボ作成ウインドウ２２の表示中において、タブ２４、タブ２７の値の変更にともない適宜同じ処理がトンボ設定部１２により実行される。
【００３７】
そして、図５（ｂ）のトンボ作成ウインドウ２２の表示中において「ＯＫ」ボタンが押下されることにより（ステップＳ８のＹ）、トンボ設定部１２では、設定されたサイズのトンボを枠の角に作成し（ステップＳ９）、処理を終了する。
【００３８】
以上、この発明のカッティングシステム１００では、枠サイズに対して推奨されるサイズのトンボを自動的に設定してオブジェクト５０のデータに付与できるので、読取エラーになるようなトンボを作成することがない。また、ユーザ自ら入力する場合でも、警告を表示してトンボサイズの修正を求めるため、読取エラーを発生させるようなトンボの作成を防止できる。この結果、読取エラーに起因したカッティング作業効率の低下を防止できる。
【００３９】
なお、前記枠５１は、ユーザが作図するようにしているが、オブジェクト５０の大きさ等から図形プログラム又はカッティングプログラムが自動的にサイズを計算して自動作成するようにしても良い。例えば、オブジェクトの縦横方向の長さを測定し、その測定結果に基づいて枠を自動作成しても良い。
【００４０】
（実施の形態２）
図１０は、この発明の実施の形態２に係るカッティングシステムを示す構成図である。このカッティングシステム２００は、トンボサイズを枠のサイズに基づいて自動的に計算するトンボサイズ算出部２０１を備えている点に特徴があり、その他の構成は実施の形態１と同様であるためその説明を省略する。
【００４１】
図１１は、図１０に示したカッティングシステムの動作を示すフローチャートである。このカッティングシステム２００では、上記実施の形態１と同様、図３に示したような枠５１を認識する（ステップＳ１）。その後、トンボ設定部１２では、ラジオボタン２３の選択状態に係わらず、トンボサイズ計算部２０１が、トンボのサイズを前記枠のサイズから予め設定してある計算式により自動的に算出する。例えば、枠の長辺に係数０．０１〜０．０２を掛けてトンボのサイズを算出し（ステップＳ３’）、その値を推奨トンボサイズとして設定する。
【００４２】
なお、ステップＳ４〜Ｓ９までの処理は、実施の形態１と同一又は同様であるが、特に、ステップＳ６において、トンボサイズが適正か否かは、枠の長辺の長さに対して許容できる範囲の長さに設定されたか否かにより判断され、具体的には、枠の長辺の０．０１倍以下にトンボ長さが設定された場合には前記警告マーク２８を表示する。
【００４３】
なお、適正なトンボ長さを算出するための式は、上記のような係数を加える方法に限定されない。また、トンボ長を算出する計算式等のプログラムは、自由に設定できる。
【００４４】
ここで、計算式の一例を示す。枠サイズＳが２００ｍｍ〜２０００ｍｍの範囲において、均等に１０段階で５ｍｍ間隔の推奨トンボサイズＷを割り振る場合には、次式により算出できる。ここで、論理演算子intは、小数点以下切り捨てで自然数をとる演算子とする。
Ｗ＝５×int(Ｓ／２００)｜２００≦Ｓ＜２０００
Ｓ＜２００のときはエラーとし、Ｓ≧２０００のときは５０ｍｍとする。
【００４５】
以上、この発明のカッティングシステム２００では、枠サイズに対して推奨されるサイズのトンボを自動的に算出してオブジェクト５０のデータに付与できるので、読取エラーになるようなトンボを作成することがない。また、ユーザ自ら入力する場合でも、警告を表示してトンボサイズの修正を求めるため、読取エラーを発生させるようなトンボの作成を防止できる。この結果、読取エラーに起因したカッティング作業効率の低下を防止できる。
【００４６】
また、上記実施の形態１及び２において、トンボの形状は丸形状であっても良い。実施の形態１においては、枠サイズ毎に推奨される丸トンボの直径（サイズ）がトンボサイズテーブルに記憶される。実施の形態２においては、トンボサイズ算出部２０１が枠サイズに基づいて丸トンボの直径（サイズ）を自動的に計算して、その計算結果をトンボサイズとして設定する。
【００４７】
また、上記実施の形態１，２では、上記ステップＳ９において、トンボをデータとして作成させた後に、処理を終了するものとして説明したが、特に手動によるトンボサイズの設定の場合には、トンボ設定部１２は、図３（ｃ）に示すように、表示部４の確認画面内に、オブジェクト５０の四隅にトンボ５２を付与した状態を表示させて、ユーザに確認させ、ステップＳ４に戻るようにしてもよい。
【００４８】
なお、本発明は、次のようにも特定し得る。（１）コンピュータに、トンボ形状を選択できるトンボ形状選択手段、カット対象である絵、文字等のオブジェクトの周囲に作成された枠のサイズ毎に、選択可能なトンボ形状において推奨されるトンボサイズを対応付けたトンボサイズテーブル、選択されたトンボ形状及び作成された枠のサイズに基づき、前記トンボサイズテーブルから推奨されるトンボサイズを設定する推奨トンボサイズ設定手段、前記推奨トンボサイズ選択手段により選択されたトンボサイズのトンボを前記枠の角に設けるトンボ設定手段、として機能させることを特徴とするカッティングプログラム。
【００４９】
（２）コンピュータに、トンボ形状を選択できるトンボ形状選択手段、カット対象である絵、文字等のオブジェクトの周囲に作成された枠のサイズに基づいて、選択可能なトンボ形状毎に予め設定してある計算式により推奨されるトンボサイズを算出する推奨トンボサイズ算出手段、前記推奨トンボサイズ計算手段により算出されたトンボサイズのトンボを前記枠の角に設けるトンボ設定手段、として機能させることを特徴とするカッティングプログラム。
【符号の説明】
【００５０】
１００  カッティングシステム
１０１  カッティングプロッタ
１０２  コンピュータ
１０６  コントローラ
１  カット図形読取部
２  カッティングデータ生成部
５０  駆動制御部
【図１】
2012081535.tif 000003
【図３】
2012081535.tif 000004
【図４】
2012081535.tif 000005
【図７】
2012081535.tif 000006
【図８】
2012081535.tif 000007
【図１０】
2012081535.tif 000008
【図２】
2012081535.tif 000009
【図５】
2012081535.tif 000010
【図６】
2012081535.tif 000011
【図９】
2012081535.tif 000012
【図１１】
2012081535.tif 000013